(57)【要約】      （修正有）【課題】元原稿を一切変更することなく、元原稿における対象字句の箇所の表示態様を変更した変更後原稿の画像データを生成する画像形成装置を提供する。【解決手段】画像形成装置１０は、画像読取部１７が読み取った原稿の画像を解析して、原稿におけるテキストとその位置情報とを関連付けて抽出するテキスト抽出部２２と、キーワードと指定情報とが対応付けられた対応情報を取得する取得部２３と、原稿のテキストに対して、キーワードと一致する対象字句を検索する検索部２４と、テキスト抽出部２２が抽出したテキストの位置情報から、原稿の画像における対象字句の箇所を特定する特定部２５と、原稿の画像における、特定部２５が特定した対象字句の箇所に、取得部２３が取得した対応情報の指定情報が示す表示態様による画像を合成した画像データを生成する画像データ生成部２６と、を備える。【選択図】図２
2020150319.tif 000002
【特許請求の範囲】
【請求項１】
原稿の画像を読み取る画像読取部と、
前記画像読取部が読み取った前記原稿の画像を記憶する原稿画像記憶部と、
前記原稿画像記憶部に記憶された前記原稿の画像を解析して、前記原稿におけるテキストとそのテキストの位置情報とを関連付けて抽出するテキスト抽出部と、
予め定められたキーワードと当該キーワードの箇所の表示態様を指定する予め定められた指定情報とが対応付けられた対応情報を取得する取得部と、
前記テキスト抽出部にて抽出された前記原稿におけるテキストに対して、前記取得部が取得した前記対応情報の前記キーワードと一致する対象字句を検索する検索部と、
前記検索部が検索した前記対象字句を特定すると共に、前記テキスト抽出部が抽出したテキストの位置情報から、前記原稿の画像における当該対象字句の箇所を特定する特定部と、
前記原稿画像記憶部に記憶された前記原稿の画像における、前記特定部が特定した前記対象字句の箇所に、前記取得部が取得した前記対応情報の前記指定情報が示す表示態様による画像を合成した画像データを生成する画像データ生成部と、を備える画像形成装置。
【請求項２】
前記対応情報は、前記予め定められたキーワードと、当該キーワードの直後に配置された一対の括弧と、前記一対の括弧内に配置された前記指定情報とを一組とする単位情報を少なくとも一つ以上有するものであり、前記単位情報を複数有する場合には、前記複数の単位情報間にカンマが配置されて当該単位情報が前記カンマで区別されたＣＳＶ（Comma Separated Value）形式のデータであり、
前記取得部は、前記対応情報を構成する一つ又は複数の単位情報を取得し、
前記検索部は、前記テキスト抽出部にて抽出された前記原稿におけるテキストに対して、前記対応情報が一つの単位情報で構成されている場合には、前記取得部が取得した前記一つの単位情報の前記キーワードと一致する対象字句を検索し、前記対応情報が複数の単位情報で構成されている場合には、前記取得部が取得した前記複数の単位情報毎の前記キーワードそれぞれに一致する複数の対象字句を検索し、
前記特定部は、前記検索部が検索した前記一つ又は複数の対象字句を特定すると共に、前記テキスト抽出部が抽出したテキストの位置情報から、前記原稿の画像における当該一つ又は複数の対象字句の箇所を特定し、
前記画像データ生成部は、前記対応情報が一つの単位情報で構成されている場合には、前記原稿画像記憶部に記憶された前記原稿の画像における、前記特定部が特定した前記一つの対象字句の箇所に、前記取得部が取得した前記一つの単位情報の前記指定情報が示す表示態様による画像を合成した画像データを生成し、前記対応情報が複数の単位情報で構成されている場合には、前記原稿画像記憶部に記憶された前記原稿の画像における、前記特定部が特定した前記複数の対象字句の箇所に、前記取得部が取得した前記複数の単位情報の前記指定情報が示す表示態様による画像をそれぞれ対応させて合成した画像データを生成する請求項１に記載の画像形成装置。
【請求項３】
前記取得部は、前記予め定められた指定情報として、前記キーワードの箇所の色、網掛け、下線、取り消し線を指定する情報を取得する請求項１又は請求項２に記載の画像形成装置。
【請求項４】
前記対応情報は、更に、前記一対の括弧内でかつ前記予め定められた指定情報の直後に配置された置換情報を有し、
前記置換情報は、前記予め定められた指定情報の直後に配置された置換記号と、当該置換記号の直後に配置され、前記対象字句に替わる置換字句とで構成され、
当該画像形成装置は、前記取得部が取得した前記対応情報に前記置換情報が含まれているか否かを判定する判定部と、
前記判定部が前記対応情報に前記置換情報が含まれていると判定した場合に、前記特定部が特定した前記対象字句に替わる置換字句の画像を生成する置換字句画像生成部と、を更に備え、
前記画像データ生成部は、前記判定部が前記対応情報に前記置換情報が含まれていると判定した場合に、前記原稿画像記憶部に記憶された前記原稿の画像における、前記特定部が特定した前記対象字句の箇所に、前記取得部が取得した前記対応情報の前記指定情報が示す表示態様による画像と、前記置換字句画像生成部が生成した前記置換字句の画像とを合成した画像データを生成する請求項２又は請求項３に記載の画像形成装置。
【請求項５】
予め定められたフォント名と当該フォント名に対応するフォントデータとを関連付けて記憶するフォントデータ記憶部と、
前記取得部が取得した前記対応情報の前記指定情報が前記フォント名であるか否かを判別する判別部と、
前記判別部が前記対応情報の前記指定情報が前記フォント名であると判別した場合に、前記特定部が特定した前記対象字句を、前記フォントデータ記憶部に記憶された当該フォント名に対応するフォントデータを用いて表されたフォント字句の画像を生成するフォント画像生成部と、を更に備え、
前記画像データ生成部は、前記判別部が前記対応情報の前記指定情報が前記フォント名であると判別した場合に、前記原稿画像記憶部に記憶された前記原稿の画像における、前記特定部が特定した前記対象字句の箇所に、前記フォント画像生成部が生成した前記フォント字句の画像を合成した画像データを生成する請求項１乃至請求項４の何れか１つに記載の画像形成装置。
【請求項６】
前記画像読取部は、前記対応情報が印字された印字紙の画像を読み取り、
当該画像形成装置は、前記画像読取部が読み取った前記印字紙の画像を記憶する印字紙画像記憶部を更に備え、
前記取得部は、前記印字紙画像記憶部に記憶された前記印字紙の画像を解析して、前記印字紙における前記対応情報を抽出することにより、当該対応情報を取得する請求項１乃至請求項５の何れか１つに記載の画像形成装置。
【請求項７】
記録紙上に画像を形成する画像形成部と、
前記画像形成部に、前記画像データ生成部が生成した前記画像データが示す画像を記録紙に画像形成させる制御部と、を更に備える請求項１乃至請求項６の何れか１つに記載の画像形成装置。
【発明の詳細な説明】
【技術分野】
【０００１】
本発明は、元原稿を一切変更することなく、元原稿の画像から、これを加工した新たな原稿画像を作成する技術に関する。
【背景技術】
【０００２】
紙に印刷された複数ページからなる原稿がある場合に、ユーザーは、あるキーワードが原稿のどこに記載されているかを知りたい場合がある。例えば、下記特許文献１には、原稿の画像を文字認識した文字認識結果と当該原稿中での文字位置とを取得し、入力された検索語にヒットする文字列を文字認識結果に対して検索し、検索にヒットした文字列の原稿中での位置に対して色付けする上書き印刷を、当該原稿に対して行う画像形成装置が記載されている。
【先行技術文献】
【特許文献】
【０００３】
【特許文献１】特開２００８−１０７４６２号公報
【発明の概要】
【発明が解決しようとする課題】
【０００４】
上記の特許文献１に記載されている画像形成装置では、元原稿における、検索にヒットした文字列の箇所に、色付け印刷を行うため、元原稿が色付け変更された原稿となってしまう。すなわち、元原稿を変更することなく保持することができない。
【０００５】
本発明は、上記の事情に鑑みてなされたものであり、元原稿を一切変更することなく、元原稿における対象字句の箇所の表示態様を変更した変更後原稿の画像データを提供することを可能にすることを目的とする。
【課題を解決するための手段】
【０００６】
本発明の一局面に係る画像形成装置は、原稿の画像を読み取る画像読取部と、前記画像読取部が読み取った前記原稿の画像を記憶する画像記憶部と、前記画像記憶部に記憶された前記原稿の画像を解析して、前記原稿におけるテキストとそのテキストの位置情報とを関連付けて抽出するテキスト抽出部と、予め定められたキーワードと当該キーワードの箇所の表示態様を指定する予め定められた指定情報とが対応付けられた対応情報を取得する取得部と、前記テキスト抽出部にて抽出された前記原稿におけるテキストに対して、前記取得部が取得した前記対応情報の前記キーワードと一致する対象字句を検索する検索部と、前記検索部が検索した前記対象字句を特定すると共に、前記テキスト抽出部が抽出したテキストの位置情報から、前記原稿の画像における当該対象字句の箇所を特定する特定部と、前記画像記憶部に記憶された前記原稿の画像における、前記特定部が特定した前記対象字句の箇所に、前記取得部が取得した前記対応情報の前記指定情報が示す表示態様による画像を合成した画像データを生成する画像データ生成部と、を備えるものである。
【発明の効果】
【０００７】
本発明によれば、元原稿を一切変更することなく、元原稿における対象字句の箇所の表示態様を変更した変更後原稿の画像データを提供することができる。
【図面の簡単な説明】
【０００８】
【図１】本発明の第１実施形態に係る画像形成装置の斜視図である。
【図２】第１実施形態の画像形成装置の構成を示すブロック図である。
【図３】第１実施形態に係る画像形成装置にて行われる、原稿の画像データにおける対象語句の箇所を強調した画像データを生成する処理を概念的に示す図である。
【図４】（Ａ）は画像形成装置の表示部の表示画面の一例を示す図、（Ｂ）はＣＳＶ文書に印字された対応情報の一例を示す図、（Ｃ）は対応情報記憶テーブルの一例を示す図である。
【図５】第１実施形態に係る原稿強調処理の一例を示すフローチャートである。
【図６】原稿テキストデータを検索してＣＳＶ文書データが示すキーワードと一致する対象語句を特定し、原稿の画像データにおける対象語句の箇所を、ＣＳＶ文書が示す表示態様で強調表示する処理を概念的に示す図である。
【図７】原稿の画像データにおける対象語句の箇所を特定し、当該箇所をＣＳＶ文書が示す表示態様で強調表示する一例を示す図である。
【図８】第２実施形態の画像形成装置の構成を示すブロック図である。
【図９】第２実施形態の場合の強調表示処理を概念的に示す図である。
【図１０】（Ａ）は第２実施形態のＣＳＶ文書に印字された対応情報の一例を示す図、（Ｂ）は、原稿の画像データにおける対象語句の箇所にＣＳＶ文書が示す置換字句の画像を合成した画像データの一例を示す図である。
【図１１】第２実施形態に係る原稿強調処理の一例を示すフローチャートである。
【図１２】第３実施形態の画像形成装置の構成を示すブロック図である。
【図１３】第３実施形態の場合の強調表示処理を概念的に示す図である。
【図１４】（Ａ）は第３実施形態の対応情報記憶テーブルの一例を示す図、（Ｂ）は原稿の画像データにおける対象語句の箇所にＣＳＶ文書が示すフォント字句の画像を合成した画像データの一例を示す図である。
【図１５】第３実施形態に係る原稿強調処理の一例を示すフローチャートである。
【発明を実施するための形態】
【０００９】
以下、本発明に係る画像形成装置の一実施形態について図面を参照して説明する。図１は、本発明の第１実施形態に係る画像形成装置の斜視図である。図２は、第１実施形態の画像形成装置の構成を示すブロック図である。
【００１０】
第１実施形態の画像形成装置１０は、制御ユニット１１と、表示部１２と、操作部１４と、タッチパネル１５と、通信部１６と、画像読取部１７と、画像形成部１８と、データ記憶部１９とを備える。これらの構成要素は、互いにバスを通じてデータ又は信号の送受信が可能とされている。
【００１１】
画像読取部１７は、例えば、原稿Ｇ１を光学的に読み取るスキャナーとしてのＣＣＤ（Charge Coupled Device）であり、この原稿Ｇ１の画像を示す画像データを生成する。画像読取部１７は、自動原稿送り装置により搬送される原稿Ｇ１やフラットベッド上に載置された原稿Ｇ１を読み取る一般的な読取機構である。
【００１２】
画像形成部１８は、感光体ドラムの表面を均一帯電させ、感光体ドラムの表面を露光して、感光体ドラムの表面に静電潜像を形成し、感光体ドラムの表面の静電潜像をトナー像に現像して、感光体ドラムの表面のトナー像（画像）を記録紙に転写して定着させる。例えば、画像読取部１７による原稿Ｇ１の読取で得られた原稿画像を記録紙に印刷する。
【００１３】
表示部１２は、例えば、液晶ディスプレイ（Liquid Crystal Display）、有機ＥＬ（Organic Light-Emitting Diode）ディスプレイなどの表示装置である。
【００１４】
操作部１４は、ユーザーからの操作指示の入力を受け付けるものであり、メニューを呼び出すメニューキー、メニューを構成するＧＵＩ（Graphical User Interface）におけるフォーカスを移動させる矢印キー、メニューを構成するＧＵＩに対して確定操作を行う決定キー、スタートキーなどを備える。
【００１５】
通信部１６は、通信モジュールを備える通信インターフェイスであり、ＬＡＮ（Local Area Network）や公衆回線などからなるネットワークＮを通じて、外部装置３０（例えば、パーソナルコンピューター、サーバー、携帯情報端末など）との間でデータ送受信を行う。
【００１６】
データ記憶部１９は、ＨＤＤ（Hard Disk Drive）などの大容量の記憶装置である。データ記憶部１９は、画像読取部１７による原稿読取で得られた原稿Ｇ１の画像を示す画像データを記憶する原稿画像記憶部１９ａを備える。
【００１７】
図３は、第１実施形態に係る画像形成装置にて行われる、原稿の画像データにおける対象語句の箇所を強調した画像データを生成する処理を概念的に示す図である。第１実施形態の画像形成装置１０は、図３に示すように、原稿Ｇ１及びＣＳＶ文書Ｄ１を読み取り、原稿Ｇ１の画像データにおける、ＣＳＶ文書Ｄ１が示すキーワードＫＩと一致する対象語句の箇所を強調した画像データを生成する処理を実行するための構成を備える。
【００１８】
データ記憶部１９は、画像読取部１７が図３に示すＣＳＶ文書Ｄ１を読み取ることで得られたＣＳＶ文書Ｄ１の画像を示すＣＳＶ文書画像データを記憶するＣＳＶ文書画像記憶部１９ｂを備える。第１実施形態のＣＳＶ文書Ｄ１には、図３に示すように、「the (yellow), combined (yellow), action (yellow)」とされた対応情報ＣＩが印字されている。ＣＳＶ文書Ｄ１は、特許請求の範囲における印字紙の一例である。
【００１９】
ここで、図４（Ｂ）を用いて対応情報ＣＩについて説明する。図４（Ｂ）は、ＣＳＶ文書に印字された対応情報の一例を示す図である。
【００２０】
対応情報ＣＩは、図４（Ｂ）に示すように、予め定められたキーワードＫＩ（「the」「combined」「action」）と、当該キーワードＫＩの直後（例えば右隣）に配置された一対の括弧と、前記一対の括弧内に配置された指定情報ＳＩとを一組とする単位情報を少なくとも一つ以上有するものであり、単位情報を複数有する場合には、複数の単位情報間にカンマＣＭが配置されて当該単位情報がカンマＣＭで区別されたＣＳＶ（Comma Separated Value）形式のデータである。具体的には、対応情報ＣＩは、予め定められたキーワードＫＩである「the」及び指定情報ＳＩである「yellow」の組（１組目）の単位情報と、予め定められたキーワードＫＩである「combined」及び指定情報ＳＩである「yellow」の組（２組目）の単位情報と、予め定められたキーワードＫＩである「action」及び指定情報ＳＩである「yellow」の組（３組目）の単位情報とを有する。
【００２１】
また、データ記憶部１９は、記憶されたＣＳＶ文書画像データから後述する取得部２３が抽出した対応情報ＣＩを記憶する対応情報記憶部１９ｃを備える。また、対応情報記憶部１９ｃは、図４（Ｃ）に示す記憶テーブルＴＢ１を備える。図４（Ｃ）は、対応情報記憶テーブルの一例を示す図である。記憶テーブルＴＢ１は、図４（Ｃ）に示すように、指定情報ＳＩと表示態様とを予め関連付けて記憶している。図４（Ｃ）に示す記憶テーブルＴＢ１は、指定情報ＳＩが色を示す色情報である場合、例えば「yellow」であれば、表示態様が「黄色マーカー」であり、「black」であれば、表示態様が「黒色マーカー」であることを示し、指定情報ＳＩが模様を示す模様情報である場合、例えば「mesh」であれば、表示態様が「網掛け」であることを示し、指定情報ＳＩが線を示す線情報である場合、例えば「underline」であれば、表示態様が「下線」であり、例えば「strikethrough」であれば、表示態様が「取り消し線」であることを示す。
【００２２】
制御ユニット１１は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット１１は、データ記憶部１９に記憶された制御プログラムが上記のプロセッサーで実行されることにより、制御部２１、テキスト抽出部２２、取得部２３、検索部２４、特定部２５、及び画像データ生成部２６として機能する。なお、制御ユニット１１の上記制御部２１、テキスト抽出部２２、取得部２３、検索部２４、特定部２５、及び画像データ生成部２６は、上記制御プログラムに基づく動作によらず、それぞれハード回路により構成されてもよい。
【００２３】
制御部２１は、画像形成装置１０の全体的な動作制御を司る。
【００２４】
テキスト抽出部２２は、原稿画像記憶部１９ａに記憶された原稿Ｇ１の画像を解析して、原稿Ｇ１におけるテキストとそのテキストの位置情報とを関連付けて抽出する。例えば、テキスト抽出部２２は、原稿画像記憶部１９ａに記憶された原稿Ｇ１の画像に対して、ＯＣＲ（optical character recognition）処理を行うことにより、原稿Ｇ１におけるテキストを抽出すると共に、そのテキストの位置情報も合わせて抽出する。なお、テキスト抽出部２２が抽出したテキストの位置情報は、テキストの原稿Ｇ１中の位置を示す情報、つまり、原稿Ｇ１中の位置情報である。原稿Ｇ１中の位置情報には、先頭からの枚数、表裏、紙面上での座標などの情報が含まれる。テキスト抽出部２２は、原稿Ｇ１におけるテキストとその位置情報も合わせて原稿画像記憶部１９ａに記憶させる。
【００２５】
取得部２３は、予め定められたキーワードＫＩと当該キーワードＫＩの箇所の表示態様を指定する予め定められた指定情報ＳＩとが対応付けられた対応情報ＣＩを取得する。具体的には、画像読取部１７は、対応情報ＣＩが印字されたＣＳＶ文書Ｄ１（印字紙）の画像を読み取る。ＣＳＶ文書画像記憶部１９ｂは、制御部２１の制御の下、画像読取部１７が読み取ったＣＳＶ文書Ｄ１の画像を示すＣＳＶ文書画像データを記憶する。取得部２３は、ＣＳＶ文書画像記憶部１９ｂに記憶されたＣＳＶ文書Ｄ１の画像（つまり、ＣＳＶ文書画像データ）を解析して、ＣＳＶ文書Ｄ１における対応情報ＣＩを抽出することにより、当該対応情報ＣＩを取得する。例えば、取得部２３は、ＣＳＶ文書画像記憶部１９ｂに記憶されたＣＳＶ文書Ｄ１の画像に対して、ＯＣＲ処理を行うことにより、ＣＳＶ文書Ｄ１における図４（Ｂ）に示す対応情報ＣＩ（つまり、対応情報ＣＩを示すテキストデータ）を抽出する。第１実施形態では、取得部２３は、対応情報ＣＩを構成する複数（３組）の単位情報を取得する。そして、対応情報記憶部１９ｃは、制御部２１の制御の下、取得部２３が抽出した図４（Ｂ）に示す３組の単位情報からなる対応情報ＣＩを記憶する。これにより、対応情報ＣＩが印字されたＣＳＶ文書Ｄ１から当該対応情報ＣＩを取得することができる。
【００２６】
検索部２４は、テキスト抽出部２２にて抽出された原稿Ｇ１におけるテキストに対して、取得部２３が取得した対応情報ＣＩのキーワードＫＩと一致する対象字句を検索する。例えば、図３に示す原稿Ｇ１には、黒字の文字で「The combined action of group, especially when effective and efficient.」と記載されており、取得部２３が取得した対応情報ＣＩのキーワードＫＩ（「the」「combined」「action」）が含まれている。すなわち、検索部２４は、テキスト抽出部２２にて抽出された原稿Ｇ１におけるテキストに対して、取得部２３が取得した対応情報ＣＩの各キーワードＫＩ（「the」「combined」「action」）それぞれに一致する各対象字句（図３では、原稿Ｇ１におけるテキスト中の「the」「combined」「action」）を検索する。
【００２７】
特定部２５は、検索部２４が検索した対象字句を特定すると共に、テキスト抽出部２２が抽出したテキストの位置情報から、原稿Ｇ１の画像における当該対象字句の箇所を特定する。例えば、図３に示すＣＳＶ文書Ｄ１の対応情報ＣＩには３つのキーワードＫＩ（「the」「combined」「action」）が含まれているため、特定部２５は、検索部２４が検索した３つの対象字句をそれぞれ特定すると共に、テキスト抽出部２２が抽出したテキストの位置情報から、原稿Ｇ１の画像における当該３つの対象字句の箇所をそれぞれ特定する。具体的には、特定部２５は、後述する図７に示すように対象字句が「the」である場合には、検索部２４が検索した対象字句である「the」を特定すると共に、テキスト抽出部２２が抽出したテキストの位置情報から、原稿Ｇ１の画像における当該対象字句である「the」の箇所（つまり、「the」の箇所の左上隅と右下隅との２点の座標位置Ｐ１，Ｐ２）を特定する。また、特定部２５は、残りの対象字句である「combined」「action」についても上記と同様に特定する。
【００２８】
画像データ生成部２６は、原稿画像記憶部１９ａに記憶された原稿Ｇ１の画像における、特定部２５が特定した対象字句の箇所に、取得部２３が取得した対応情報ＣＩの指定情報ＳＩが示す表示態様による画像を合成した画像データを生成する。具体的には、画像データ生成部２６は、後述する図７に示すように対象字句が「the」である場合には、原稿Ｇ１の画像（画像データ）における、特定部２５が特定した対象字句である「the」の箇所に、取得部２３が取得した対応情報ＣＩの指定情報ＳＩ（図４（Ｂ）に示す「yellow」）が示す表示態様（図４（Ｃ）に示す「黄色マーカー」）による画像（図７に示す破線で示す矩形状部分を黄色とした黄色マーカー）を合成した画像データを生成する。
【００２９】
より詳細に言えば、画像データ生成部２６は、対象字句が「the」である場合には、特定部２５が特定した２点の座標位置Ｐ１，Ｐ２（原稿Ｇ１の画像における「the」の箇所の左上隅と右下隅の各座標位置）を角部とする矩形状領域を設定し、当該矩形状領域を黄色とすることで黄色マーカーの画像を生成する。そして、画像データ生成部２６は、この黄色マーカーの画像の左上隅及び右下隅を、原稿Ｇ１の画像における２点の座標位置Ｐ１，Ｐ２に一致させるようにして当該原稿Ｇ１の画像上に合成した画像データを生成する。また、画像データ生成部２６は、残りの対象字句である「combined」「action」についても上記と同様に黄色マーカーの画像を生成し、各黄色マーカーの画像を対応する箇所に順次に合成し、図３に示すように「the combined action」の箇所に黄色マーカーの画像が合成された画像データを生成する。
【００３０】
なお、第１実施形態では、黄色マーカーの画像は透過性を有する画像としているので、図３に示す黒字の文字である「the combined action」の視認性が保たれる。例えば、黒色マーカーの画像が合成された場合には、図３に示す黒字の文字である「the combined action」の視認性が失われてしまい、黒色マーカーのみが認識されることになる。一方、黄色マーカーの画像が透過性無し（透過性０％）の画像とした場合には、「the combined action」の視認性が失われてしまい、黄色マーカーのみが認識されることになる。
【００３１】
第１実施形態では、画像データ生成部２６は、図４（Ｂ）に示すように対応情報ＣＩが複数（３組）の単位情報で構成されている場合には、原稿画像記憶部１９ａに記憶された原稿Ｇ１の画像における、特定部２５が特定した３組の対象字句（「the」「combined」「action」）の箇所に、取得部２３が取得した複数の単位情報の指定情報ＳＩ（図４（Ｂ）に示す「yellow」）が示す表示態様（図４（Ｃ）に示す「黄色マーカー」）による画像をそれぞれ対応させて合成した画像データを生成しているが、これに限定されない。画像データ生成部２６は、例えば、対応情報ＣＩが一つの単位情報で構成されている場合には、原稿画像記憶部１９ａに記憶された原稿Ｇ１の画像における、特定部２５が特定した一つの対象字句の箇所に、取得部２３が取得した一つの単位情報の指定情報ＳＩが示す表示態様による画像を合成した画像データを生成する。
【００３２】
制御部２１は、ユーザーによる印刷指示の操作が操作部１４に対して行われると、画像形成部１８に、画像データ生成部２６が生成した画像データが示す画像を記録紙に画像形成させる。また、制御部２１は、ユーザーによるデータ出力指示の操作が操作部１４に対して行われると、通信部１６に、画像データ生成部２６が生成した画像データを外部装置３０に送信（出力）させる。
【００３３】
続いて、画像形成装置１０による原稿強調処理について説明する。図４（Ａ）は、画像形成装置の表示部の表示画面の一例を示す図である。図５は、第１実施形態に係る原稿強調処理の一例を示すフローチャートである。図６は、原稿テキストデータを検索してＣＳＶ文書データが示すキーワードと一致する対象語句を特定し、原稿の画像データにおける対象語句の箇所を、ＣＳＶ文書が示す表示態様で強調表示する処理を概念的に示す図である。
【００３４】
制御部２１は、表示部１２に図４（Ａ）に示す表示画面が表示された状態において、ユーザーが原稿強調処理を示すキーＫＢを押下すると、図５に示す原稿強調処理を開始する。具体的には、ユーザーがキーＫＢを押下すると、タッチパネル１５がキーＫＢの押下を受け付け、原稿強調処理の開始信号を制御部２１に出力する。制御部２１は、タッチパネル１５からの原稿強調処理の開始信号に基づいて原稿強調処理を開始させる。
【００３５】
制御部２１は、ユーザーが画像読取部１７にＣＳＶ文書Ｄ１をセットした状態において、表示部１２に表示された「ＣＳＶ文書スキャン」を示すキーが押下されると（Ｓ１でＹＥＳ）、画像読取部１７にＣＳＶ文書Ｄ１を読み取らせる（Ｓ２）。制御部２１は、画像読取部１７が読み取ったＣＳＶ文書Ｄ１の画像を示すＣＳＶ文書画像データを、図６に示すようにＣＳＶ文書画像記憶部１９ｂに記憶させる。
【００３６】
取得部２３は、ＣＳＶ文書画像記憶部１９ｂに記憶されたＣＳＶ文書Ｄ１の画像（ＣＳＶ文書画像データ）を解析して、ＣＳＶ文書Ｄ１における対応情報ＣＩを抽出することにより、当該対応情報ＣＩを取得する（Ｓ３）。すなわち、取得部２３は、ＣＳＶ文書Ｄ１の画像に対してＯＣＲ処理を行うことにより、ＣＳＶ文書Ｄ１における図４（Ｂ）に示す対応情報ＣＩである「the (yellow), combined (yellow), action (yellow)」を抽出する。そして、制御部２１は、取得部２３が抽出した図４（Ｂ）に示す対応情報ＣＩを対応情報記憶部１９ｃに記憶させる。
【００３７】
なお、対応情報記憶部１９ｃに記憶済みの図４（Ｂ）に示す対応情報ＣＩを再使用する場合には、ユーザーが表示部１２に表示された「次へ」を示すキーを押下することがある。制御部２１は、ユーザーが表示部１２に表示された「次へ」を示すキーが押下されると（Ｓ１でＮＯ）、Ｓ４に処理を進める。
【００３８】
制御部２１は、ユーザーが画像読取部１７に原稿Ｇ１をセットした状態において、表示部１２に表示された「原稿スキャン」を示すキーが押下されると（Ｓ４でＹＥＳ）、画像読取部１７に原稿Ｇ１を読み取らせる（Ｓ５）。制御部２１は、画像読取部１７が読み取った原稿Ｇ１の画像を示す原稿画像データを原稿画像記憶部１９ａに記憶させる。なお、制御部２１は、ユーザーが表示部１２に表示された「原稿スキャン」を示すキーが予め定められた期間内に押下されなかった場合（Ｓ４でＮＯ）、Ｓ４に戻り、「原稿スキャン」を示すキーが押下されるまで待機する。
【００３９】
テキスト抽出部２２は、原稿画像記憶部１９ａに記憶された原稿Ｇ１の画像に対して、ＯＣＲ（optical character recognition）処理を行うことにより、原稿Ｇ１におけるテキストを抽出すると共に、そのテキストの位置情報も合わせて抽出する（Ｓ６）。テキスト抽出部２２は、原稿Ｇ１におけるテキスト（図６に示す原稿テキストデータ）とその位置情報も合わせて原稿画像記憶部１９ａに記憶させる。
【００４０】
図６に示すＣＳＶ文書Ｄ１の対応情報ＣＩには３つのキーワードＫＩ（「the」「combined」「action」）が含まれているため、検索部２４は、テキスト抽出部２２にて抽出された原稿Ｇ１におけるテキストに対して、取得部２３が取得した対応情報ＣＩの各キーワードＫＩ（「the」「combined」「action」）のうち、図６に示す１つ目のキーワードＫＩである「the」に一致する各対象字句（図６では、原稿Ｇ１におけるテキスト中の「the」）を検索する（Ｓ７）。
【００４１】
特定部２５は、検索部２４が検索した対象字句である「the」を特定すると共に、テキスト抽出部２２が抽出したテキストの位置情報から、原稿Ｇ１の画像における当該対象字句である「the」の箇所を特定する（Ｓ８）。
【００４２】
ここで、特定部２５による「the」の箇所の特定について、図７を用いて説明する。図７は、原稿の画像データにおける対象語句の箇所を特定し、当該箇所をＣＳＶ文書が示す表示態様で強調表示する一例を示す図である。図７に示すように、特定部２５は、テキスト抽出部２２が抽出したテキストの位置情報から、検索部２４が検索した対象字句である「the」の箇所（つまり、「the」の箇所の左上隅と右下隅との２点の座標位置Ｐ１，Ｐ２）を特定する。
【００４３】
画像データ生成部２６は、原稿画像記憶部１９ａに記憶された原稿Ｇ１の画像における、特定部２５が特定した対象字句である「the」の箇所に、取得部２３が取得した対応情報ＣＩの指定情報ＳＩ（図４（Ｂ）に示す「yellow」）が示す表示態様（図４（Ｃ）に示す「黄色マーカー」）による画像（図７に示す破線で示す矩形状部分を黄色とした黄色マーカー）を合成した画像データＣＩＤを生成する（Ｓ９）。具体的には、画像データ生成部２６は、特定部２５が特定した２点の座標位置Ｐ１，Ｐ２（原稿Ｇ１の画像における「the」の箇所の左上隅と右下隅の各座標位置）を角部とする矩形状領域を設定し、当該矩形状領域を黄色とすることで黄色マーカーの画像を生成する。そして、画像データ生成部２６は、この黄色マーカーの画像の左上隅及び右下隅を、原稿Ｇ１の画像における２点の座標位置Ｐ１，Ｐ２に一致させるようにして当該原稿Ｇ１の画像上に合成した画像データＣＩＤを生成する。
【００４４】
制御部２１は、次の対象字句がある場合（Ｓ１０でＹＥＳ）、Ｓ７に処理を進める。ここでは、残りの対象字句として「combined」「action」があるため、制御部２１は、Ｓ７に処理を進める。残りの対象字句である「combined」「action」についても、検索部２４による検索（Ｓ７）、特定部２５による特定（Ｓ８）、及び画像データ生成部２６による生成（Ｓ９）が実行される。
【００４５】
画像データ生成部２６は、残りの対象字句である「combined」「action」についても上記と同様に黄色マーカーの画像を生成し、各黄色マーカーの画像を対応する箇所に順次に合成し、図６に示すように「the combined action」の箇所に黄色マーカーの画像が合成された画像データＣＩＤを生成する。
【００４６】
制御部２１は、次の対象字句がない場合（Ｓ１０でＮＯ）、ユーザーによる印刷指示の操作が操作部１４に対して行われると、画像形成部１８に、画像データ生成部２６が生成した画像データＣＩＤが示す画像を記録紙に画像形成させ（Ｓ１１）、本処理を終了させる。また、制御部２１は、Ｓ１１において、ユーザーによるデータ出力指示の操作が操作部１４に対して行われると、通信部１６に、画像データ生成部２６が生成した画像データＣＩＤを外部装置３０に送信（出力）させ、本処理を終了させるようにしてもよい。
【００４７】
このように、上記第１実施形態によれば、画像読取部１７は、原稿Ｇ１の画像を読み取る。原稿画像記憶部１９ａは、画像読取部１７が読み取った原稿Ｇ１の画像を記憶する。テキスト抽出部２２は、原稿画像記憶部１９ａに記憶された原稿Ｇ１の画像を解析して、原稿Ｇ１におけるテキストとそのテキストの位置情報とを関連付けて抽出する。取得部２３は、予め定められたキーワードＫＩと当該キーワードＫＩの箇所の表示態様を指定する予め定められた指定情報ＳＩとが対応付けられた対応情報ＣＩを取得する。検索部２４は、テキスト抽出部２２にて抽出された原稿Ｇ１におけるテキストに対して、取得部２３が取得した対応情報ＣＩのキーワードＫＩと一致する対象字句を検索する。特定部２５は、検索部２４が検索した対象字句を特定すると共に、テキスト抽出部２２が抽出したテキストの位置情報から、原稿Ｇ１の画像における対象字句の箇所を特定する。画像データ生成部２６は、原稿画像記憶部１９ａに記憶された原稿Ｇ１の画像における、特定部２５が特定した対象字句の箇所に、取得部２３が取得した対応情報ＣＩの指定情報ＳＩが示す表示態様による画像を合成した画像データを生成する。これにより、原稿Ｇ１の画像における対象字句の箇所の表示態様を変更した画像データを生成することができる。また、原稿Ｇ１については、画像読取部１７にて読み取っただけであり、一切変更していない。よって、元原稿Ｇ１を一切変更することなく、元原稿Ｇ１における対象字句の箇所の表示態様を変更した変更後原稿の画像データを提供することができる。
【００４８】
また、制御部２１は、画像形成部１８に、画像データ生成部２６が生成した画像データが示す画像を記録紙に画像形成させる。これにより、元原稿Ｇ１を一切変更することなく、元原稿Ｇ１における対象字句の箇所の表示態様を変更した変更後原稿の画像データが示す画像が画像形成された記録紙を提供することができる。
【００４９】
また、対応情報ＣＩは、複数の単位情報間にカンマＣＭが配置されたＣＳＶ形式のデータとしているので、対応情報ＣＩには複数の単位情報をカンマＣＭで区別して組み込むことができる。例えば、対応情報ＣＩが複数の単位情報で構成されている場合には、取得部２３は、対応情報ＣＩを構成する複数の単位情報を取得する。検索部２４は、テキスト抽出部２２にて抽出された原稿Ｇ１におけるテキストに対して、取得部２３が取得した複数の単位情報毎のキーワードＫＩそれぞれに一致する複数の対象字句を検索する。特定部２５は、検索部２４が検索した複数の対象字句を特定すると共に、テキスト抽出部２２が抽出したテキストの位置情報から、原稿Ｇ１の画像における当該複数の対象字句の箇所を特定する。画像データ生成部２６は、原稿画像記憶部１９ａに記憶された原稿Ｇ１の画像における、特定部２５が特定した複数の対象字句の箇所に、取得部２３が取得した複数の単位情報の指定情報ＳＩが示す表示態様による画像をそれぞれ対応させて合成した画像データを生成する。これにより、元原稿Ｇ１における複数の対象字句の箇所をそれぞれに応じた表示態様に変更した変更後原稿の画像データを提供することができる。
【００５０】
また、取得部２３は、予め定められた指定情報ＳＩとして、図４（Ｃ）に示すようにキーワードＫＩの箇所の色、網掛け、下線、取り消し線を指定する情報を取得する。これにより、原稿Ｇ１の画像における対象字句の箇所の色を変更したり（図６参照）、当該箇所に網掛け、下線、取り消し線を追記したり（後述する図１３参照）した画像データＣＩＤを生成することができる。
【００５１】
次に、第２実施形態に係る画像形成装置について、図８〜図１１を用いて説明する。図８は、第２実施形態の画像形成装置の構成を示すブロック図である。図９は、第２実施形態の場合の強調表示処理を概念的に示す図である。図１０（Ａ）は、第２実施形態のＣＳＶ文書に印字された対応情報の一例を示す図、図１０（Ｂ）は、原稿の画像データにおける対象語句の箇所にＣＳＶ文書が示す置換字句の画像を合成した画像データの一例を示す図である。図１１は、第２実施形態に係る原稿強調処理の一例を示すフローチャートである。
【００５２】
第２実施形態に係る画像形成装置１０では、判定部２７Ａ及び置換字句画像生成部２７Ｂを備える点が、第１実施形態とは異なっている。なお、上記第１実施形態で説明した構成要素と同じものには同じ番号を付し、説明を省略する。
【００５３】
第２実施形態における対応情報ＣＩは、図９、図１０（Ａ）に示すように、一対の括弧内でかつ予め定められた指定情報ＳＩの直後に配置された置換情報を有する。置換情報は、図１０（Ａ）に示すように、予め定められた指定情報ＳＩの直後に配置された置換記号ＣＳ（例えば、セミコロン）と、当該置換記号ＣＳの直後に配置され、対象字句に替わる置換字句ＳＴとで構成される。
【００５４】
判定部２７Ａは、取得部２３が取得した対応情報ＣＩに、図１０（Ａ）に示す置換情報（つまり、置換記号ＣＳ及び置換字句ＳＴ）が含まれているか否かを判定する。
【００５５】
置換字句画像生成部２７Ｂは、判定部２７Ａが対応情報ＣＩに置換情報が含まれていると判定した場合に、特定部２５が特定した対象字句に替わる置換字句ＳＴの画像を生成する。例えば、置換字句画像生成部２７Ｂは、判定部２７Ａが対応情報ＣＩに置換情報が含まれていると判定した場合に、図１０（Ｂ）に示すように、特定部２５が特定した対象字句が例えばミススペルである「combines」に替わる置換字句ＳＴである「combined」の画像を生成する。
【００５６】
具体的には、置換字句画像生成部２７Ｂは、図１０（Ｂ）に示すように、特定部２５が特定した対象字句である「combines」の２点の座標位置Ｐ３，Ｐ４（原稿Ｇ１の画像における「combines」の箇所の左上隅と右下隅の各座標位置）を角部とする矩形状領域に収まる大きさとした置換字句ＳＴである「combined」の画像を生成する。
【００５７】
画像データ生成部２６は、判定部２７Ａが対応情報ＣＩに置換情報（置換記号ＣＳ及び置換字句ＳＴ）が含まれていると判定した場合に、原稿画像記憶部１９ａに記憶された原稿Ｇ１の画像における、特定部２５が特定した対象字句である「combines」の箇所に、取得部２３が取得した対応情報ＣＩの指定情報ＳＩ（図４（Ｂ）に示す「yellow」）が示す表示態様（図４（Ｃ）に示す「黄色マーカー」）による画像と、置換字句画像生成部２７Ｂが生成した置換字句ＳＴの画像とを合成した画像データＣＩＤを生成する。
【００５８】
具体的には、画像データ生成部２６は、図１０（Ｂ）に示すように、特定部２５が特定した２点の座標位置Ｐ３，Ｐ４（原稿Ｇ１の画像における「combines」の箇所の左上隅と右下隅の各座標位置）を角部とする矩形状領域を設定し、当該矩形状領域を黄色とすることで黄色マーカーの画像を生成する。そして、画像データ生成部２６は、置換字句画像生成部２７Ｂが生成した置換字句ＳＴの画像の左上隅及び右下隅を、原稿Ｇ１の画像における２点の座標位置Ｐ３，Ｐ４に一致させるようにして当該原稿Ｇ１の画像上に合成し、続いて、黄色マーカーの画像の左上隅及び右下隅を、原稿Ｇ１の画像における２点の座標位置Ｐ３，Ｐ４に一致させるようにして当該原稿Ｇ１の画像上に合成した画像データＣＩＤを生成する。
【００５９】
すなわち、画像データ生成部２６は、黄色マーカーの画像と、置換字句画像生成部２７Ｂが生成した置換字句ＳＴの画像（「combined」の画像）とを、原稿Ｇ１の画像における２点の座標位置Ｐ３，Ｐ４に一致させるようにして合成した画像データＣＩＤを生成する。
【００６０】
なお、置換字句画像生成部２７Ｂが生成した置換字句ＳＴの画像は、透過性無し（透過性０％）の背景画像と、置換字句ＳＴである「combined」の有色（例えば黒色）の文字画像とが重ねて構成されている。そして、置換字句ＳＴの画像上に、透過性を有する黄色マーカーの画像が重ね合わされている。これにより、ミススペルである「combines」が置換字句ＳＴの画像に隠れて見えないが、置換字句ＳＴ及び黄色マーカーの視認性は保たれる。
【００６１】
なお、置換字句画像生成部２７Ｂは、特定部２５が特定した対象字句の箇所（より好ましくは、置換字句ＳＴに置き換えられる箇所）の地色を、当該原稿画像データの画素の色から検出し、上記の背景画像の色を当該検出した地色としてもよい。これによれば、原稿Ｇ１の地色と同じ色の背景画像を有する置換字句ＳＴの画像を合成することができ、置換字句ＳＴの画像を目立ちにくくすることができる。
【００６２】
ここで、第２実施形態に係る原稿強調処理について、図１１を用いて説明する。第２実施形態に係る原稿強調処理は、第１実施形態に係る原稿強調処理に対して、Ｓ２１及びＳ２２が追加されている点が異なっているため、Ｓ２１及びＳ２２について以下に説明する。
【００６３】
判定部２７Ａは、取得部２３が取得した対応情報ＣＩに、図１０（Ａ）に示す置換情報（つまり、置換記号ＣＳ及び置換字句ＳＴ）が含まれているか否かを判定する（Ｓ２１）。
【００６４】
置換字句画像生成部２７Ｂは、判定部２７Ａが対応情報ＣＩに置換情報が含まれていると判定した場合（Ｓ２１でＹＥＳ）、特定部２５が特定した対象字句に替わる置換字句ＳＴの画像を生成する（Ｓ２２）。制御部２１は、判定部２７Ａが対応情報ＣＩに置換情報が含まれていないと判定した場合（Ｓ２１でＮＯ）、Ｓ９に処理を進める。
【００６５】
上記第２実施形態によれば、判定部２７Ａは、取得部２３が取得した対応情報ＣＩに置換情報が含まれているか否かを判定する。置換字句画像生成部２７Ｂは、判定部２７Ａが対応情報ＣＩに置換情報が含まれていると判定した場合に、特定部２５が特定した対象字句に替わる置換字句ＳＴの画像を生成する。画像データ生成部２６は、判定部２７Ａが対応情報ＣＩに置換情報が含まれていると判定した場合に、原稿画像記憶部１９ａに記憶された原稿Ｇ１の画像における、特定部２５が特定した対象字句の箇所に、取得部２３が取得した対応情報ＣＩの指定情報ＳＩが示す表示態様による画像と、置換字句画像生成部２７Ｂが生成した置換語句の画像とを合成した画像データを生成する。これにより、原稿Ｇ１の画像における対象字句の箇所の表示態様を変更すると共に当該対象字句を置換語句に置き換えた画像データを生成することができる。例えば、対象字句が誤記である場合には、正しい置換語句に修正することができる。つまり、ミススペルを正すことができる。
【００６６】
なお、第２実施形態では、置換情報は、一対の括弧内でかつ予め定められた指定情報ＳＩの直後に配置されているが、一対の括弧内に単独で配置されてもよい。
【００６７】
次に、第３実施形態に係る画像形成装置について、図１２〜図１５を用いて説明する。図１２は、第３実施形態の画像形成装置の構成を示すブロック図である。図１３は、第３実施形態の場合の強調表示処理を概念的に示す図である。図１４（Ａ）は、第３実施形態の対応情報記憶テーブルの一例を示す図、図１４（Ｂ）は原稿の画像データにおける対象語句の箇所にＣＳＶ文書が示すフォント字句の画像を合成した画像データの一例を示す図である。図１５は、第３実施形態に係る原稿強調処理の一例を示すフローチャートである。
【００６８】
第３実施形態に係る画像形成装置１０では、フォントデータ記憶部１９ｄ、判別部２８Ａ及びフォント画像生成部２８Ｂを備える点が、第１実施形態とは異なっている。なお、上記第１実施形態で説明した構成要素と同じものには同じ番号を付し、説明を省略する。
【００６９】
フォントデータ記憶部１９ｄは、図１２に示すように、予め定められたフォント名と当該フォント名に対応するフォントデータとを関連付けて記憶する。フォントデータ記憶部１９ｄは、図１４（Ａ）に示す記憶テーブルＴＢ２を備える。図１４（Ａ）に示す記憶テーブルＴＢ２は、図４（Ｃ）に示す記憶テーブルＴＢ１に対して、更に、フォント名とフォントデータとを関連付けたデータが追加されている。すなわち、記憶テーブルＴＢ２は、指定情報ＳＩがフォント名を示すフォント名情報である場合、例えば「bold」であれば、表示態様が「太字フォント」であり、例えば「italic」であれば、表示態様が「斜体フォント」であることを示す。
【００７０】
判別部２８Ａは、取得部２３が取得した対応情報ＣＩの指定情報ＳＩ（図１３参照）が、フォント名（図１４（Ａ）に示す「bold」又は「italic」）であるか否かを判別する。第３実施形態では、図１３に示すように、取得部２３が取得した対応情報ＣＩの指定情報ＳＩである「bold」が、フォント名であると判別する。
【００７１】
フォント画像生成部２８Ｂは、図１３に示すように、判別部２８Ａが対応情報ＣＩの指定情報ＳＩである「bold」がフォント名であると判別した場合に、特定部２５が特定した対象字句である「action」を、フォントデータ記憶部１９ｄに記憶された当該フォント名に対応するフォントデータ（図１４（Ａ）に示す太字フォント）を用いて表されたフォント字句の画像（図１３に示す太字フォントによる「action」の画像）を生成する。
【００７２】
具体的には、フォント画像生成部２８Ｂは、図１４（Ｂ）に示すように、特定部２５が特定した対象字句である「action」の２点の座標位置Ｐ５，Ｐ６（原稿Ｇ１の画像における「action」の箇所の左上隅と右下隅の各座標位置）を角部とする矩形状領域に収まる大きさとし、かつ、太字フォントのフォント字句である「action」の画像を生成する。
【００７３】
画像データ生成部２６は、判別部２８Ａが対応情報ＣＩの指定情報ＳＩがフォント名（図１４（Ａ）に示す「bold」又は「italic」）であると判別した場合に、原稿画像記憶部１９ａに記憶された原稿Ｇ１の画像における、特定部２５が特定した対象字句である「action」の箇所に、フォント画像生成部２８Ｂが生成した太字フォントのフォント字句の画像を合成した画像データＣＩＤを生成する。
【００７４】
なお、フォント画像生成部２８Ｂが生成したフォント字句の画像は、透過性無し（透過性０％）の背景画像と、太字フォントでかつ有色（例えば黒色）の「action」の文字画像とが重ねて構成されている。そして、特定部２５が特定した対象字句である「action」の箇所上に、フォント字句の画像が合成されている。これにより、特定部２５が特定した対象字句である「action」が、透過性無し（透過性０％）の背景画像に隠れて見えないが、フォント字句の画像の視認性は保たれる。
【００７５】
ここで、第３実施形態に係る原稿強調処理について、図１５を用いて説明する。第３実施形態に係る原稿強調処理は、第１実施形態に係る原稿強調処理に対して、Ｓ３１及びＳ３２が追加されている点が異なっているため、Ｓ３１及びＳ３２について以下に説明する。
【００７６】
判別部２８Ａは、取得部２３が取得した対応情報ＣＩの指定情報ＳＩ（図１３参照）が、フォント名（図１４（Ａ）に示す「bold」又は「italic」）であるか否かを判別する（Ｓ３１）。
【００７７】
フォント画像生成部２８Ｂは、図１３に示すように、判別部２８Ａが対応情報ＣＩの指定情報ＳＩである「bold」がフォント名であると判別した場合（Ｓ３１でＹＥＳ）、特定部２５が特定した対象字句である「action」を、フォントデータ記憶部１９ｄに記憶された当該フォント名に対応するフォントデータ（図１４（Ａ）に示す太字フォント）を用いて表されたフォント字句の画像（図１３に示す太字フォントによる「action」の画像）を生成する（Ｓ３２）。制御部２１は、判別部２８Ａが対応情報ＣＩの指定情報ＳＩ（図１３参照）が、フォント名（図１４（Ａ）に示す「bold」又は「italic」）でないと判別した場合（Ｓ３１でＮＯ）、Ｓ９に処理を進める。
【００７８】
上記第３実施形態によれば、画像データ生成部２６は、判別部２８Ａが対応情報ＣＩの指定情報ＳＩがフォント名であると判別した場合に、原稿画像記憶部１９ａに記憶された原稿Ｇ１の画像における、特定部２５が特定した対象字句の箇所に、フォント画像生成部２８Ｂが生成したフォント字句の画像を合成した画像データＣＩＤを生成する。これにより、原稿Ｇ１の画像における対象字句をフォント字句に変更した画像データを生成することができる。
【００７９】
なお、本発明は上記実施の形態の構成に限られず種々の変形が可能である。例えば、画像読取部１７が図３に示すＣＳＶ文書Ｄ１を読み取ることで得られたＣＳＶ文書Ｄ１の画像を示すＣＳＶ文書画像データをＣＳＶ文書画像記憶部１９ｂに記憶しているが、これに限定されない。画像形成装置１０は、通信部１６が受信したＣＳＶ文書画像データ、又は、持ち運び可能な記録媒体（例えば、ＵＳＢメモリー）に記憶されたＣＳＶ文書画像データを読み出してＣＳＶ文書画像記憶部１９ｂに記憶させてもよい。この場合は、取得部２３は、ＣＳＶ文書画像記憶部１９ｂに記憶されたＣＳＶ文書Ｄ１の画像に対して、ＯＣＲ処理を行うことにより、ＣＳＶ文書Ｄ１における対応情報ＣＩを抽出する必要がある。更に、ＣＳＶ文書データ（つまり、対応情報ＣＩを示すテキストデータ）でデータ記憶部１９に記憶させた場合には、取得部２３は、ＯＣＲ処理を行うことなく、ダイレクトに対応情報ＣＩを使用することができる。
【００８０】
また、上記実施形態では、図４（Ｂ）に示すように、対応情報ＣＩのキーワードＫＩを１語としているが、キーワードＫＩは、句、文節などであってもよい。例えば、「the combined action (yellow)」のように対応情報ＣＩのキーワードＫＩを３語とすると、「the combined action」の箇所にマーカー画像が合成される。
【００８１】
なお、図１乃至図１５を用いて説明した上記実施形態の構成及び処理は、本発明の一例に過ぎず、本発明を当該構成及び処理に限定する趣旨ではない。
【符号の説明】
【００８２】
１０      画像形成装置
１７      画像読取部
１８      画像形成部
１９      データ記憶部
１９ａ    原稿画像記憶部
１９ｂ    ＣＳＶ文書画像記憶部
１９ｃ    対応情報記憶部
１９ｄ    フォントデータ記憶部
２１      制御部
２２      テキスト抽出部
２３      取得部
２４      検索部
２５      特定部
２６      画像データ生成部
２７Ａ    判定部
２７Ｂ    置換字句画像生成部
２８Ａ    判別部
２８Ｂ    フォント画像生成部
【図１】
2020150319.tif 000003
【図２】
2020150319.tif 000004
【図３】
2020150319.tif 000005
【図４】
2020150319.tif 000006
【図５】
2020150319.tif 000007
【図６】
2020150319.tif 000008
【図７】
2020150319.tif 000009
【図８】
2020150319.tif 000010
【図９】
2020150319.tif 000011
【図１０】
2020150319.tif 000012
【図１１】
2020150319.tif 000013
【図１２】
2020150319.tif 000014
【図１３】
2020150319.tif 000015
【図１４】
2020150319.tif 000016
【図１５】
2020150319.tif 000017